(57)【要約】  方法、ネットワーク・ノード（ＮＮ）、ユーザ機器およびロケーション・サーバが開示され、ＮＮにおいて実施される方法は位置基準信号（ＰＲＳ）をブロードキャストし、ＰＲＳが周期的に繰り返すＰＲＳ時間期間内の繰返しパターンとしてブロードキャストされ、ＮＮを、ＰＲＳ時間期間の各々の間に、各時間周波数リソース・ブロック（ＴＦＲＢ）内にある複数のＰＲＳブロックをブロードキャストするように制御し、複数のＰＲＳブロックのうちの少なくとも１つが、複数の連続するサブブロックを備え、少なくとも１つのＰＲＳサブブロックが、ＴＦＲＢ中の時間期間を備え、その時間期間の間、ＮＮがＰＲＳをブロードキャストし、少なくとも１つのミュートされたサブブロックが、ＴＦＲＢ内の異なる時間期間を備え、その異なる時間期間の間、ＮＮが、ＴＦＲＢの周波数帯域幅において位置基準信号またはデータ信号をブロードキャストしない。【選択図】図４
2019525188.tif 000002
【特許請求の範囲】
【請求項１】
位置基準信号をブロードキャストするネットワーク・ノードにおいて実施される方法であって、前記位置基準信号が、周期的に繰り返す位置基準信号時間期間内の繰返しパターンとしてブロードキャストされ、前記方法は、
前記ネットワーク・ノードを、前記位置基準信号時間期間の各々の間に、各々、時間周波数リソース・ブロック内にある複数の位置基準信号ブロックをブロードキャストするように制御するステップ
を含み、
前記複数の位置基準信号ブロックのうちの少なくとも１つが、複数の連続するサブブロックを備え、
少なくとも１つの位置基準信号サブブロックが、前記時間周波数リソース・ブロック中の時間期間を備え、
前記時間期間の間、前記ネットワーク・ノードが前記位置基準信号をブロードキャストし、
少なくとも１つのミュートされたサブブロックが、前記時間周波数リソース・ブロック内の異なる時間期間を備え、
前記異なる時間期間の間、前記ネットワーク・ノードが、前記時間周波数リソース・ブロックの周波数帯域幅において位置基準信号またはデータ信号をブロードキャストしない、
方法。
【請求項２】
前記基準信号時間期間内にブロードキャストされる前記複数の位置基準信号ブロックのうちの少なくとも２つが、異なる周波数帯域においてブロードキャストされる、
請求項１に記載の方法。
【請求項３】
前記異なる周波数帯域においてブロードキャストされる前記複数の位置基準信号ブロックのうちの少なくとも２つが、同じ時間期間中にブロードキャストされる、請求項２に記載の方法。
【請求項４】
前記異なる周波数帯域においてブロードキャストされる前記複数の位置基準信号ブロックのうちの少なくとも２つが、異なる時間期間中にブロードキャストされる、請求項２または３に記載の方法。
【請求項５】
前記複数の位置基準信号ブロックの各々が、所定の周波数帯域幅内でブロードキャストされ、
時間的に互いに続いて与えられる前記位置基準信号ブロックのうちの少なくとも２つが、前記所定の帯域幅のうちの少なくとも１つだけ互いに離れた周波数においてブロードキャストされる、
請求項１乃至４のいずれか１項に記載の方法。
【請求項６】
前記複数の位置基準信号ブロックのうちの１つのブロードキャストの後に、前記位置基準信号時間期間内の前記位置基準信号ブロックのブロードキャスト間に時間ギャップがあるように、続く位置基準信号ブロックをブロードキャストする前に所定の時間待つステップを更に含む、請求項５に記載の方法。
【請求項７】
前記位置基準信号ブロックの各々が、前記位置基準サブブロックと前記ミュートされた基準サブブロックとの同じブロードキャスト・パターンを備える、請求項１乃至６のいずれか１項に記載の方法。
【請求項８】
位置基準信号時間期間内にブロードキャストされる前記位置基準信号ブロックのうちの少なくとも２つが、前記サブブロックの異なるブロードキャスト・パターンを備える、請求項１乃至６のいずれか１項に記載の方法。
【請求項９】
位置基準信号構成情報を少なくとも１つのさらなるネットワーク・ノードに送信するステップを更に含み、
前記位置基準信号構成情報が、前記位置基準信号ブロックのうちの少なくとも１つ内の前記少なくとも１つの位置基準信号サブブロックと前記少なくとも１つのミュートされたサブブロックとのブロードキャスト・パターンの指示を備える、
請求項１乃至８のいずれか１項に記載の方法。
【請求項１０】
少なくとも１つのさらなるネットワーク・ノードから位置基準信号構成情報を受信するステップと、
前記ネットワーク・ノードおよび前記少なくとも１つのさらなるネットワーク・ノードによってブロードキャストされた前記位置基準信号に対するユーザ機器からの応答信号を受信するステップと、
前記受信された応答から前記ユーザ機器についてのロケーション情報を導出するステップと、
を更に含む、請求項１乃至９のいずれか１項に記載の方法。
【請求項１１】
周期的に繰り返す位置基準信号時間期間内の繰返しパターンとして位置基準信号をブロードキャストするためのネットワーク・ノードであって、前記ネットワーク・ノードは、
信号をブロードキャストするための送信機と、
前記送信機を、前記位置基準信号時間期間の各々内に、各々、時間周波数リソース・ブロック内にある複数の位置基準信号ブロックをブロードキャストするように制御するための制御回路と、
を備え、
前記複数の位置基準信号ブロックのうちの少なくとも１つが、複数の連続するサブブロックを備え、
少なくとも１つの位置基準信号サブブロックが、前記時間周波数リソース・ブロック中の時間期間を備え、
前記時間期間の間、前記ネットワーク・ノードが前記位置基準信号をブロードキャストし、
少なくとも１つのミュートされたサブブロックが、前記時間周波数リソース・ブロック内の異なる時間期間を備え、
前記異なる時間期間の間、前記ネットワーク・ノードが、前記時間周波数リソース・ブロックの周波数帯域幅において位置基準信号またはデータ信号をブロードキャストしない、
ネットワーク・ノード。
【請求項１２】
ロケーション・サーバにおいて実施される方法であって、
少なくとも１つのユーザ機器のためのネットワーク・ノードからの位置基準信号構成情報を受信するステップと、
前記位置基準信号構成情報を前記少なくとも１つのユーザ機器のほうへ送信するステップと、
前記ユーザ機器からブロードキャストされた位置基準信号に対する応答を受信するステップと、
を含み、
前記位置基準信号構成情報が、前記ネットワーク・ノードによってブロードキャストされた少なくとも１つの位置基準信号ブロック内の複数の位置基準信号サブブロックとミュートされたサブブロックとのブロードキャスト・パターンの指示を備え、
前記複数の位置基準信号ブロックが、時間周波数リソース・ブロック中でブロードキャストされ、
各サブブロックが、前記周波数リソース・ブロックの前記時間期間内の異なる時間期間の間にブロードキャストされる、
方法。
【請求項１３】
ユーザ機器において実施される方法であって、前記方法は、
ネットワーク・ノードおよびさらなるネットワーク・ノードについての位置基準信号構成情報を受信するステップと、
指示された時間周波数リソースにおける前記位置基準信号を監視するステップと、
少なくとも１つの同じ時間周波数リソースの間にブロードキャストされた前記位置基準信号の受信に対する応答を前記ネットワーク・ノードおよび前記さらなるネットワーク・ノードに送信するステップと、
を含み、
前記位置基準信号構成情報は、前記ネットワーク・ノードによってブロードキャストされることになる複数の位置基準信号ブロックの時間周波数リソースの指示と、前記さらなるネットワーク・ノードによってブロードキャストされることになる複数の位置基準信号ブロックの時間周波数リソースの指示とを備え、
前記位置基準信号構成情報が、前記ネットワーク・ノードおよび前記さらなるネットワーク・ノードの各々によってブロードキャストされた少なくとも１つの位置基準信号ブロック内の少なくとも１つの位置基準信号サブブロックとミュートされたサブブロックとのブロードキャスト・パターンの指示をさらに備え、
前記第１のおよび前記さらなるネットワーク・ノードによってブロードキャストされることになる前記位置基準信号の前記時間周波数リソースのうちの少なくとも１つが、同じ時間周波数リソースであり、
各々の前記ブロードキャスト・パターンが補足的ブロードキャスト・パターンである、
方法。
【請求項１４】
ユーザ機器であって、
複数のネットワーク・ノードから位置基準信号構成情報を受信するように構成された受信機と、
指示された時間周波数リソースにおける前記位置基準信号を監視するための監視回路と、
少なくとも１つの同じ時間周波数リソースの間にブロードキャストされた前記位置基準信号の受信に対する応答をネットワーク・ノードおよびさらなるネットワーク・ノードに送信するための送信機と、
を備え、
前記位置基準信号構成情報が、前記複数のネットワーク・ノードの各々によってブロードキャストされることになる位置基準信号ブロックの時間周波数リソースの指示を備え、
前記位置基準信号構成情報が、前記複数のネットワーク・ノードの各々によってブロードキャストされた前記位置基準信号ブロックのうちの少なくとも１つ内の少なくとも１つの位置基準信号サブブロックとミュートされたサブブロックとのブロードキャスト・パターンの指示をさらに備え、
ネットワーク・ノードおよびさらなるネットワーク・ノードによってブロードキャストされることになる前記位置基準信号の前記時間周波数リソースのうちの少なくとも１つが、同じ時間周波数リソースであり、
各々の前記ブロードキャスト・パターンが補足的ブロードキャスト・パターンであり、
前記同じ時間周波数リソースの間の前記ネットワーク・ノードおよび前記さらなるネットワーク・ノードからの信号を監視するように構成される、
ユーザ機器。
【請求項１５】
コンピュータによって実行されたとき、前記コンピュータを、請求項１乃至１０または１２または１３のいずれか１項に記載の方法におけるステップを実施するように制御するように動作可能なコンピュータ・プログラム。
【発明の詳細な説明】
【技術分野】
【０００１】
本発明は、ワイヤレス電気通信ネットワーク内のユーザ機器の位置検出に関する。
【背景技術】
【０００２】
ＯＴＤＯＡまたは観測到着時間差（ｏｂｓｅｒｖｅｄ  ｔｉｍｅ  ｄｉｆｆｅｒｅｎｃｅ  ｏｆ  ａｒｒｉｖａｌ）は、ユーザ機器の位置を検出するためにネットワークにおいて使用されるダウンリンク測位方法である。特に、ネットワーク・ノードがＰＲＳまたは位置基準信号（ｐｏｓｉｔｉｏｎ  ｒｅｆｅｒｅｎｃｅ  ｓｉｇｎａｌ）を送信し、これらはユーザ機器によって検出される。ユーザ機器における異なる信号の到着時間および、特に、ユーザ機器におけるＲＳＴＤまたは基準信号時間差（ｒｅｆｅｒｅｎｃｅ  ｓｉｇｎａｌ  ｔｉｍｅ  ｄｉｆｆｅｒｅｎｃｅ）測定値が、ユーザ機器のロケーションの指示として使用され得る。
【０００３】
既存のＯＴＤＯＡソリューションは、ＲＳＴＤ測定および報告機構のいくらかの遅延を有し、これは、移動しているユーザ機器の位置を測定するときの不正確さにつながることがある。たとえば、各々１６０ｍｓ離れた１６個のＰＲＳオケージョン（ＰＲＳ  ｏｃｃａｓｉｏｎ）があり、異なるネットワーク・ノードがこれらのオケージョンのうちの異なるオケージョンにおいてミュートされる場合、ＲＳＴＤ測定時間は、少なくとも１６×１６０ｍｓ＝２５６０ｍｓであり、それは、たとえば、ＵＥ速度が３０ＫＭ／ｈである場合、ＵＥは各ＲＳＴＤ測定期間中に約２１ｍ移動したことになる。より高速に移動しているＵＥは、もちろん、さらに移動することになる。１６０ｍｓは、ＰＲＳオケージョンのための最も密な時間期間であり、より長い周期性の場合、誤差が増加されることになる。
【発明の概要】
【発明が解決しようとする課題】
【０００４】
すべてのＵＥに適用可能であり、移動しているＵＥについての精度を増加させ、過度の量のリソースを使用しない、改善され測位測定方式を生成することが望ましいであろう。
【課題を解決するための手段】
【０００５】
本発明の第１の態様は、位置基準信号をブロードキャストするネットワーク・ノードにおいて実施される方法を提供し、前記位置基準信号が、周期的に繰り返す位置基準信号時間期間内の繰返しパターンとしてブロードキャストされ、前記方法は、前記ネットワーク・ノードを、前記位置基準信号時間期間の各々の間に、各々、時間周波数リソース・ブロック（ｔｉｍｅ  ｆｒｅｑｕｅｎｃｙ  ｒｅｓｏｕｒｃｅ  ｂｌｏｃｋ）内にある複数の位置基準信号ブロック（ｐｏｓｉｔｉｏｎ  ｒｅｆｅｒｅｎｃｅ  ｓｉｇｎａｌ  ｂｌｏｃｋ）をブロードキャストするように制御するステップであって、前記複数の位置基準信号ブロックのうちの少なくとも１つが、複数の連続するサブブロックを備え、少なくとも１つの位置基準信号サブブロックが、前記時間周波数リソース・ブロック中の時間期間を備え、その時間期間の間、前記ネットワーク・ノードが前記位置基準信号をブロードキャストし、少なくとも１つのミュートされたサブブロック（ｍｕｔｅｄ  ｓｕｂｂｌｏｃｋ）が、前記時間周波数リソース・ブロック内の異なる時間期間を備え、その異なる時間期間の間、前記ネットワーク・ノードが、前記時間周波数リソース・ブロックの周波数帯域幅において位置基準信号またはデータ信号をブロードキャストしない、ステップを含む。
【０００６】
少なくとも１つの位置基準信号ブロックを時間領域においてサブブロックに分割することと、少なくとも１つのサブブロック中のミューティングを与えることと、少なくとも１つの他のサブブロック中で信号をブロードキャストすることとによって、少なくとも１つの基準位置信号がブロック中でブロードキャストされるが、そのブロックの一部のリソースがミュートされ、他のネットワーク・ノードがそれら自体の位置基準信号をブロードキャストするためにそれを利用可能のままにする。これは、ミュートされたサブブロック内の利用可能なリソースがあるので、あるネットワーク・ノードによって使用される位置基準信号ブロックのリソースが、さらなるネットワーク・ノードによっても使用されることを可能にする。位置基準信号ブロックは、１つまたは複数の連続するキャリア周波数リソース・ブロックおよび連続するサブフレームにおける複数の物理リソース・ブロック（ｐｈｙｓｉｃａｌ  ｒｅｓｏｕｒｃｅ  ｂｌｏｃｋ）を含む、時間周波数リソース・ブロックを備える。各サブブロックは、少なくとも１つのサブフレームを備える少なくとも１つの物理リソース・ブロックを備える。
【０００７】
事実上、ＰＲＳブロックを時間領域においてサブブロックに分割することによって、各サブブロックは、位置基準信号を送信するか、あるいはミュートされる、すなわち、この時間周波数リソース・サブブロック中でデータまたは位置基準信号を送信しないかのいずれかを行うために使用され得る。このようにしてミュートすることは、補足的ミューティング・パターンが選定されるとすれば、１つまたは複数のさらなるネットワーク・ノードが同じ位置基準信号ブロックを使用する機会を与え、位置基準信号が１つのＰＲＳブロック内で複数のネットワーク・ノードによって送信されることを可能にする。したがって、２つのノードが異なるＰＲＳ時間期間またはオケージョンでミュートするのではなく、ミューティングは、２つまたはそれ以上のノードがそれらの信号を同じＰＲＳブロック中で送り得るように、１つのＰＲＳブロック内に生じる。ユーザ機器の位置を決定するために、ユーザ機器は、異なるネットワーク・ノードからのＰＲＳ信号に応答しなければならない。したがって、同じ時間ブロック中で異なるノードに応答することは、位置検出の時間期間が低減されることを可能にし、それは、レイテンシを低減し、特により高速に移動しているＵＥについて、精度を改善する。
【０００８】
いくつかの実施形態では、前記基準信号時間期間内にブロードキャストされる前記複数の位置基準信号ブロックのうちの少なくとも２つが、異なる周波数帯域においてブロードキャストされる。
【０００９】
ワイヤレス通信ネットワークを使用して通信するユーザ機器が、ますます異なるタイプの適用例において使用され、したがって、まったく異なる特性を伴って設計される。たとえば、概して、多くのデータを受信および送信することが可能な広帯域受信機を有する、スマート・フォン・ユーザ機器がある。これらの広帯域受信機は、１０から３０ＭＨｚの間、好ましくは１０ＭＨｚの帯域幅を有し得る。他のユーザ機器は、メーター示度などの特定の情報を送信および受信するために使用されるにすぎない、低複雑度機器であり得る。これらは、ＭＴＣまたはマシン・タイプ・ユーザ機器と呼ばれることがあり、一般に、１ＭＨｚから２ＭＨｚの間、好ましくは１．４ＭＨｚの帯域幅を有する。狭帯域モノのインターネット・デバイス（ｎａｒｒｏｗｂａｎｄ  Ｉｎｔｅｒｎｅｔ  ｏｆ  Ｔｈｉｎｇｓ  ｄｅｖｉｃｅ）は、一層低い帯域幅、おそらく、１００ｋＨｚから５００ｋＨｚの間、しばしば１８０ｋＨｚを有し得る。ＰＲＳ信号は、従来、より広い帯域のユーザ機器に好適な帯域幅においてブロードキャストされていた。これは、リソースにおいて費用がかかり、ユーザ機器が狭帯域受信機を有する場合、この広帯域リソースは無駄になる。したがって、いくつかの実施形態では、ＰＲＳ信号は、より狭い帯域幅、おそらく狭帯域幅ユーザ機器の帯域幅において送信され得る。これは、信号が、異なる周波数において送信されるが、依然として、従来の広帯域にとどまることを可能にする。これらの異なる周波数信号が、同じ時間期間中にブロードキャストされ得、その場合、異なる信号は異なるＵＥを対象とし得るか、またはこれらの異なる周波数信号が、異なる時間期間中にブロードキャストされ得、その場合、異なる信号は同じＵＥを対象とし得るかのいずれかであり、周波数を変更するという考えは、増加された帯域幅を信号のブロードキャストのために予約することなしに、受信される信号の周波数帯域幅を増加させることである。
【００１０】
この点について、低減された周波数帯域幅を使用することは、使用されるリソースを低減するという利点を有するが、それは、測定の精度の低減という欠点を有する。このことおよび依然として使用される低減されたリソースに対処するために、異なる周波数において異なるＰＲＳブロックを送信することが、有利であり得る。このようにして、より広い周波数範囲にわたる位置基準信号が送信され、これらの信号のために、いつでも、低減された帯域幅が予約されるにすぎない。
【００１１】
いくつかの実施形態では、前記複数の位置基準信号ブロックの各々が、少なくとも１つの位置基準サブブロックと少なくとも１つのミュートされたサブブロックとを備え、他の実施形態では、位置基準信号ブロックのサブセットが、ブロードキャストされたサブブロックとミュートされたサブブロックとを含んでおり、別のサブセットが、均一なサブブロックを備え、すべてがＰＲＳ信号をブロードキャストするかまたはすべてがミュートされる。
【００１２】
いくつかの実施形態では、前記複数の位置基準信号ブロックの各々が、所定の周波数帯域幅内でブロードキャストされ、互いに続いてブロードキャストされる前記位置基準信号ブロックのうちの少なくとも２つが、前記所定の帯域幅のうちの少なくとも１つだけ互いに離れた周波数においてブロードキャストされる。
【００１３】
いくつかの場合には、それは、時間的に互いに最も近くに送信される位置基準信号が、周波数において互いに近くない、すなわち、それらが、隣接する周波数帯域幅を形成しないが、所定の周波数帯域幅のうちの少なくとも１つだけ互いに離れている場合に有利であり得る。これは、送信される信号の全体的な帯域幅の増加を可能にし、干渉影響を低減し得る。
【００１４】
いくつかの実施形態では、前記方法は、前記複数の位置基準信号ブロックのうちの１つのブロードキャストの後に、前記位置基準信号時間期間内の前記位置基準信号ブロックのブロードキャスト間に時間ギャップがあるように、続く位置基準信号ブロックをブロードキャストする前に所定の時間待つステップを含む。
【００１５】
位置基準信号のブロードキャスト間に時間ギャップを残すことが有利であり得、これは、特に、周波数ホッピングが関与する場合であり、それは、信号を受信するユーザ機器が、基準信号の周波数ホッピングを補償するために、受信機の周波数帯域幅を変更する必要があることになり、したがって、時間遅延を与えることにより、ユーザ機器はこの信号を受信するための良好な時間においてこのアクションを実施することが可能になり得るからである。
【００１６】
いくつかの実施形態では、前記位置基準信号ブロックの各々は、前記位置基準サブブロックと前記ミュートされた基準サブブロックとの同じブロードキャスト・パターンを備える。
【００１７】
各位置基準信号ブロックに同じパターンを与えることは、関与する異なる要素を定義し、それらに通信するのがより容易である構成、およびそれに対する補足的パターンを実行し、生成するのが簡単である構成を与える。
【００１８】
他の実施形態では、位置基準信号時間期間内にブロードキャストされる前記位置基準信号ブロックのうちの少なくとも２つは、前記サブブロックの異なるブロードキャスト・パターンを備える。
【００１９】
最も単純なソリューションは、位置基準信号時間期間中のすべての位置基準信号ブロック内に同一のサブブロック・パターンを有することであり得るが、いくつかの実施形態では、それらは異なることがある。異なるブロックを有することは、ミュートされたサブブロックと信号サブブロックとのためのパターンのより広い選定を可能にする。この点について、いくつかの場合には、ブロック全体がミュートされ得るか、またはブロック全体が位置基準信号を含んでいることがある。
【００２０】
いくつかの実施形態では、前記位置基準信号ブロックのうちの少なくとも１つは、少なくとも２つの位置基準信号サブブロックと少なくとも１つのミュートされたサブブロックとを備え、前記位置基準信号サブブロックのうちの少なくとも１つは、前記ミュートされたサブブロックの前および前記ミュートされたサブブロックの少なくとも１つ後にブロードキャストされる。
【００２１】
いくつかの場合には、ブロックのうちの少なくとも１つ中のミュートされたサブブロックは、位置基準信号ブロックの端部でないことになるが、他の場合には、それは位置基準信号ブロックの端部であり得る。
【００２２】
いくつかの実施形態では、前記方法は、位置基準信号構成情報を少なくとも１つのさらなるネットワーク・ノードに送信するステップであって、前記位置基準信号構成情報が、前記位置基準信号ブロックのうちの少なくとも１つ内の前記少なくとも１つの位置基準信号サブブロックと前記少なくとも１つのミュートされたサブブロックとのブロードキャスト・パターンの指示を備える、ステップをさらに含む。
【００２３】
位置基準信号がどのようにブロードキャストされることになるかに関する構成情報は、基地局（たとえばｅＮＢ）またはロケーション・サーバであり得るさらなるネットワーク・ノードに送信され得る。構成情報は、少なくとも１つの位置基準信号ブロック内のサブブロックのブロードキャスト・パターンを含む。位置基準信号ブロックが同一である場合、１つのブロックについての構成情報が十分であることになる。しかしながら、位置基準時間期間内にブロードキャストされる位置基準信号ブロックが異なる場合、複数のそのような構成情報が送信されることになる。次いで、このさらなるネットワーク・ノードは、いくつかの場合にはこのネットワーク・ノードを介して、情報をユーザ機器に送信し得る。いくつかの実施形態では、さらなるネットワーク・ノードは、ブロードキャストされた位置基準信号ブロックに応答してユーザ機器から受信された信号を分析するために、この情報を使用し得る。
【００２４】
いくつかの実施形態では、前記位置基準信号構成情報は、前記位置基準信号時間期間の繰返しの期間と、第１の位置基準時間期間中の第１の位置基準信号ブロックの開始のサブフレームの指示と、前記位置基準信号時間期間の各々中に送信される物理信号ブロックの数と、前記位置基準信号時間期間内にブロードキャストされる前記位置基準信号ブロックの周波数ロケーションのパターンのインジケータと、各位置基準信号ブロック中の位置基準サブブロックの数と、位置基準時間期間内の位置基準信号ブロックの送信の間のサブフレームの数とのうちの少なくとも１つをさらに備える。
【００２５】
ユーザ機器が適切なリソースを監視することができるために、およびさらなるネットワーク・ノードがユーザ機器から受信された応答信号を分析するために、ＰＲＳ信号に関するさらなる構成情報が必要とされ得る。
【００２６】
いくつかの実施形態では、本方法は、少なくとも１つのさらなるネットワーク・ノードから位置基準信号構成情報を受信するステップをさらに含み、前記方法が、前記ネットワーク・ノードおよび前記少なくとも１つのさらなるネットワーク・ノードによってブロードキャストされた前記位置基準信号に対するユーザ機器からの応答信号を受信するステップと、前記受信された応答から前記ユーザ機器についてのロケーション情報を導出するステップとを含む。
【００２７】
ネットワーク・ノードは、他のネットワーク・ノードがＰＲＳブロックをブロードキャストするために使用しているリソースを示す他のネットワーク・ノードからの構成情報をも受信し得る。これは、ネットワーク・ノードが、ユーザ機器からの、それ自体の位置基準信号に対する応答だけでなく、他のネットワーク・ノードによってブロードキャストされた位置基準信号に対する応答を分析することを可能にする。好適な分析を用いて、ユーザ機器のロケーションが導出され得る。従来、これは、ネットワーク・ノード自体において行われておらず、むしろロケーション・サーバにおいて行われていた。当該ロケーション・サーバは、いくつかの実施形態ではネットワーク・ノード上にあるものの、しばしば制御ノード内に離れて位置している。位置基準信号を送信するネットワーク・ノードにおいて分析を実施することは、レイテンシを低減させ、同じく、ユーザ機器、特に、高速に移動しているユーザ機器の位置の分析の精度を増加させるのに役立つ。
【００２８】
第２の態様は、周期的に繰り返す位置基準信号時間期間内の繰返しパターンとして位置基準信号をブロードキャストするためのネットワーク・ノードを提供し、前記ネットワーク・ノードは、信号をブロードキャストするための送信機と、複数の位置基準信号時間期間の各々内に、少なくとも１つの位置基準信号ブロックが時間周波数リソース・ブロック中にある複数の位置基準信号ブロックをブロードキャストするための制御回路であって、前記少なくとも１つの位置基準信号ブロックが、前記時間周波数リソース・ブロック中の時間期間を備える少なくとも１つの位置基準信号サブブロックを備え、その時間期間の間、前記ネットワーク・ノードが前記位置基準信号をブロードキャストし、少なくとも１つのミュートされたサブブロックが、前記時間周波数リソース・ブロック内の異なる時間期間を備え、その異なる時間期間の間、前記ネットワーク・ノードが、前記時間周波数リソース・ブロックの周波数帯域幅において位置基準信号またはデータ信号をブロードキャストしない、制御回路とを備える。
【００２９】
いくつかの実施形態では、ネットワーク・ノードは、前記基準信号時間期間内にブロードキャストされる前記複数の位置基準信号ブロックのうちの少なくとも２つを、異なる周波数帯域においてブロードキャストするように構成される。
【００３０】
第３の態様は、少なくとも１つのユーザ機器のためのネットワーク・ノードからの位置基準信号構成情報を受信するステップであって、前記位置基準信号構成情報が、前記ネットワーク・ノードによってブロードキャストされた少なくとも１つの位置基準信号ブロック内の少なくとも１つの位置基準信号サブブロックと少なくとも１つのミュートされたサブブロックとのブロードキャスト・パターンの指示を含み、前記少なくとも１つの位置基準信号ブロックが、時間周波数リソース・ブロック中でブロードキャストされ、各サブブロックが、前記周波数リソース・ブロックの前記時間期間内の異なる時間期間の間にブロードキャストされる、ステップと、前記位置基準信号構成情報を前記少なくとも１つのユーザ機器のほうへ送信するステップと、前記ブロードキャストされた位置基準信号に対するユーザ機器応答を受信するステップとを含む、ロケーション・サーバにおいて実施される方法を提供する。
【００３１】
ロケーション・サーバは、異なる位置基準信号に対するユーザ機器の応答を分析するために使用され得、そのような場合、ロケーション・サーバは、位置基準信号のブロードキャスティングがどのように構成されるかを指示するネットワーク・ノードからの構成情報を与えられることになる。ロケーション・サーバは、この情報をユーザ機器に転送することになり、それはまた、この情報をユーザ機器からの信号に対する応答のその分析においても使用することになり、それはまた、この情報をユーザ機器に送信することになる。いくつかの場合には、ロケーション・サーバは、補足的ミューティングおよびブロードキャスト・パターンを有する複数のネットワーク・ノードについての構成情報を受信し得、ロケーション・サーバは、この構成情報をユーザ機器に送信し、同じＰＲＳ時間期間の間にネットワーク・ノードの各々によってブロードキャストされたＰＲＳ信号に対する応答に関係するユーザ機器応答信号を受信することになる。
【００３２】
いくつかの実施形態では、前記構成情報は、複数の位置基準信号ブロックについての構成情報を備え、前記構成情報は、前記基準信号時間期間内にブロードキャストされる前記複数の位置基準信号ブロックのうちの少なくとも２つが、異なる周波数帯域においてブロードキャストされることを指示する。
【００３３】
第４の態様は、ユーザ機器において実施される方法を提供し、前記方法は、ネットワーク・ノードおよびさらなるネットワーク・ノードについての位置基準信号構成情報を受信するステップであって、前記位置基準信号構成情報が、前記ネットワーク・ノードによってブロードキャストされることになる複数の位置基準信号ブロックの時間周波数リソースの指示と、前記さらなるネットワーク・ノードによってブロードキャストされることになる複数の位置基準信号ブロックの時間周波数リソースの指示とを備え、前記位置基準信号構成情報は、前記ネットワーク・ノードおよび前記さらなるネットワーク・ノードの各々によってブロードキャストされた少なくとも１つの位置基準信号ブロック内の少なくとも１つの位置基準信号サブブロックと少なくとも１つのミュートされたサブブロックとのブロードキャスト・パターンの指示をさらに備え、前記第１のおよび前記さらなるネットワーク・ノードによってブロードキャストされることになる前記位置基準信号の前記時間周波数リソースのうちの少なくとも１つが、同じ時間周波数リソースであり、各々の前記ブロードキャスト・パターンが補足的ブロードキャスト・パターンである、ステップと、前記指示された時間周波数リソースにおける前記位置基準信号を監視するステップと、前記少なくとも１つの同じ時間周波数リソースの間にブロードキャストされた前記位置基準信号の受信に対する応答を前記ネットワーク・ノードおよび前記さらなるネットワーク・ノードに送信するステップとを含む。
【００３４】
１つのＰＲＳブロックの時間期間内の複数のネットワーク・ノードからのＰＲＳ信号を検出することができるユーザ機器が、提供される。この点について、２つ以上のネットワーク・ノードからの信号を含んでいるＰＲＳブロックの時間周波数リソースは、時間領域においてサブブロックに分割され、各ネットワーク・ノードは、この時間周波数領域におけるＰＲＳブロックをブロードキャストし、ＰＲＳブロックは、ネットワーク・ノードのうちの１つが、他のノードがミュートされたサブブロック時間期間の間にＰＲＳブロックをブロードキャストし、その逆も同様であるように、異なる補足的ミューティングおよびブロードキャスト・パターンを有する。これは、２つまたはそれ以上のネットワーク・ノードからの信号が、１つのＰＲＳブロックの時間期間の間に受信されることを可能にし、ユーザ機器の応答時間におけるレイテンシを低減する。ユーザ機器が移動している場合、間断なく２つの信号に応答するこの能力は、著しく精度を増大させる。
【００３５】
いくつかの実施形態では、１つの基準信号時間期間内にブロードキャストされる前記複数の位置基準信号ブロックのうちの少なくとも２つは、異なる周波数帯域においてブロードキャストされ、前記監視するステップは、前記指示された時間の間、前記異なる周波数帯域を監視するステップを含む。
【００３６】
本発明の第５の態様は、複数のネットワーク・ノードからの位置基準信号構成情報を受信するように構成された受信機であって、前記位置基準信号構成情報が、前記ネットワーク・ノードの各々によってブロードキャストされることになる位置基準信号ブロックの時間周波数リソースの指示を備え、前記位置基準信号構成情報が、前記ネットワーク・ノードの各々によってブロードキャストされた前記位置基準信号ブロック内の少なくとも１つの位置基準信号サブブロックと少なくとも１つのミュートされたサブブロックとのブロードキャスト・パターンの指示をさらに備え、ネットワーク・ノードおよびさらなるネットワーク・ノードによってブロードキャストされることになる前記位置基準信号の前記時間周波数リソースのうちの少なくとも１つが、同じ時間周波数リソースであり、各々の前記ブロードキャスト・パターンが、補足的ブロードキャスト・パターンである、受信機と、前記指示された時間周波数リソースにおける前記位置基準信号を監視するための監視回路であって、前記ユーザ機器が、前記同じ時間周波数リソースの間に前記ネットワーク・ノードおよび前記さらなるネットワーク・ノードからの信号を監視するように構成される、監視回路と、前記少なくとも１つの同じ時間周波数リソースの間にブロードキャストされた前記位置基準信号の受信に対する応答を前記ネットワーク・ノードおよび前記さらなるネットワーク・ノードに送信するための送信機とを備える、ユーザ機器を提供する。
【００３７】
本発明の第６の態様は、コンピュータによって実行されたとき、前記コンピュータを、本発明の第１、第３または第５の態様による方法におけるステップを実施するように制御するように動作可能なコンピュータ・プログラムを提供する。
【００３８】
第７の態様は、少なくとも１つのユーザ機器のためのネットワーク・ノードからの位置基準信号構成情報を受信するように構成された受信機であって、前記位置基準信号構成情報が、前記ネットワーク・ノードによってブロードキャストされた少なくとも１つの位置基準信号ブロック内の少なくとも１つの位置基準信号サブブロックと少なくとも１つのミュートされたサブブロックとのブロードキャスト・パターンの指示を備え、前記少なくとも１つの位置基準信号ブロックが、時間周波数リソース・ブロック中でブロードキャストされ、各サブブロックが、前記周波数リソース・ブロックの前記時間期間内の異なる時間期間の間にブロードキャストされる、受信機と、前記位置基準信号構成情報を前記少なくとも１つのユーザ機器のほうへ送信するように構成された送信機と、前記ブロードキャストされた位置基準信号に対するユーザ機器応答を受信するように構成された受信機とを備える、ロケーション・サーバを提供する。
【００３９】
さらなる詳細および好ましい態様が、付随する独立請求項および従属請求項において提示される。従属請求項の特徴は、適宜に、および特許請求の範囲において明示的に提示される組合せ以外の組合せで、独立請求項の特徴と組み合わせられ得る。
【００４０】
機能を与えるように動作可能であるものとして、装置の特徴が説明される場合、これは、その機能を与えるかまたはその機能を与えるように適応または構成された、装置の特徴を含むことが諒解されよう。
【００４１】
次に、添付の図面を参照しながら、本発明の実施形態がさらに説明される。
【図面の簡単な説明】
【００４２】
【図１】従来技術によるＰＲＳシグナリングを示す図である。
【図２ａ】関連技法による、周波数ホッピングを伴うＰＲＳシグナリングを示す図である。
【図２ｂ】関連技法による、周波数ホッピングを伴うＰＲＳシグナリングを示す図である。
【図３】一実施形態による、より細かいミューティング・パターンを伴うＰＲＳシグナリングを示す図である。
【図４】一実施形態による、より細かいミューティング・パターンと周波数ホッピングとを伴うＰＲＳシグナリングを示す図である。
【図５】一実施形態による、ネットワークを概略的に示す図である。
【発明を実施するための形態】
【００４３】
より詳細に実施形態について説明する前に、まず、概要が提供される。
【００４４】
ＯＴＤＯＡまたは観測する到着時間差は、ユーザ機器の位置を検出するためにネットワークにおいて使用されるダウンリンク測位方法である。特に、ネットワーク・ノードがＰＲＳまたは位置基準信号を送信し、これらはユーザ機器またはＵＥによって検出される。ユーザ機器において検出された異なる信号の到着時間および、特に、ユーザ機器におけるＲＳＴＤまたは基準信号時間差測定値が、ＵＥのロケーションの指示として使用され得る。前述のように、ＵＥの速度が増加するとき、既存のＰＲＳ構成、およびＯＴＤＯＡ測位のためのＲＳＴＤ報告機構は、ＲＳＴＤ測定報告遅延による深刻な測位誤差を生じることになる。この点について、ＰＲＳ信号は、従来、ＰＲＳオケージョンとして示されることがある時間期間内の複数のＰＲＳブロックとして送信される。この時間期間内のこれらの信号の送信は、所定の回数、周期的に繰り返される。
【００４５】
従来、ＰＲＳ信号は、１つまたは複数のサブフレーム内の比較的広い周波数帯域にわたってブロードキャストされており、隣接ノードとの干渉を回避するために、周期的繰返しパターンにおける時間期間の一部の間、ＰＲＳ信号を送信するのではなく、ネットワーク・ノードがミュートされることになるような、ミューティング・パターンがあり得、それにより、ＰＲＳ信号がミュートされる時間周波数リソースにおいて、ＰＲＳ信号およびデータ信号がブロードキャストされないことになり、このＰＲＳ時間周波数リソースを、他ネットワーク・ノードがそれらのＰＲＳ信号を送信するために利用可能なままにする。これは、ユーザ機器が複数のネットワーク・ノードからのＰＲＳ信号を受信するために、複数の時間期間が経過することになり、したがって、ユーザ機器がこれらの異なる信号の到着間の相対時間差を決定することができる前に、これらの複数の時間期間が必要とされることになることを意味する。これは、本発明の実施形態では、事実上、より細かいミューティングおよびブロードキャスト・パターンを与えることによって対処された。これは、ＰＲＳブロックを時間領域においてサブブロックに分割することと、サブブロックのうちのいくつかが、１つのネットワーク・ノードによってＰＲＳ信号をブロードキャストするために使用され、サブブロックのうちのいくつかがミュートされるように、各ブロックについてのブロードキャスト・パターンを与えることとによって行われ、それにより、ネットワーク・ノードは、これらのミュートされたサブブロックの間に、ＰＲＳ信号またはデータ信号をブロードキャストしない。これは、他の協働するネットワーク・ノードが、それら自体のＰＲＳ信号のブロードキャストためにこれらのリソースを使用することを可能にする。
【００４６】
このようにして、協働するネットワーク・ノードは、同じ時間周波数リソース中のＰＲＳ信号およびミューティング信号についての相補ブロードキャスト・パターンを有することになり、それにより、ネットワーク・ノード１が、ＰＲＳ信号をもつ第１のサブブロックと、ミュートされたサブブロックとしての第２のサブブロックと、ＰＲＳ信号としての第３のサブブロックとを送信する場合、同じ時間周波数リソースにおいて、ノード２が、第１のサブブロックにおいてミュートされ、第２のサブブロックにおいてＰＲＳ信号をブロードキャストし、第３のサブブロックにおいてミュートされ得る。このようにして、ユーザ機器は、第１のサブブロック中のネットワーク・ノード１からのＰＲＳ信号と、第２のサブブロック中のネットワーク・ノード２からのＰＲＳ信号と、第３のサブブロック中のネットワーク・ノード１からのＰＲＳ信号とを受信することになる。したがって、ユーザ機器は、このブロック内の２つノードについてのＲＳＴＤ測定値を決定し、それへの応答を、そのロケーションを決定するネットワーク制御ノードまたはロケーション・サーバに送ることが可能になる。このようにして、システムの遅延が著しく低減され、特に、高速に移動しているユーザ機器の場合、より正確な結果が決定され得る。
【００４７】
ブロックによって使用される特定のミューティング・パターンが構成可能であり、構成情報が、使用されるべきパターンを指示するネットワーク・ノードにおいて受信されることに留意されたい。これは、ノードの展開に関して、およびいくつかのブロックのために構成され得、ミュートされたサブブロックがないことがあり、パターンは、ブロック全体がミュートされることまたはブロック全体がブロードキャストされることであり得る。しかしながら、ブロックのうちの少なくともいくつかについて、時々、いくつかのミューティングがあることになる。
【００４８】
いくつかの場合には、各ＰＲＳ時間期間中の各ブロックは、同じミューティングおよびブロードキャスト・パターンを有し、他の場合には、特定のＰＲＳ時間期間中のブロック間のパターンは異なり得る。各場合において、繰り返されるＰＲＳ時間期間は、それらのＰＲＳ時間期間内に同じＰＲＳブロックを有することになる。
【００４９】
図１は、ネットワーク・ノードからのＰＲＳ信号のブロードキャストのための従来のソリューションを示す。この例では、４つのＰＲＳオケージョンがあり、ミューティング・パターン１０１０がある。さらに、ＰＲＳ信号は、４つのサブフレームにわたって送信され、１０ＭＨｚの比較的広い周波数帯域にわたって送信される。
【００５０】
従来のソリューションでは、ＰＲＳ期間で周期的に繰り返される１つのＰＲＳオケージョンは、１つ、２つ、４つまたは６つのＰＲＳサブフレームを有することができ、ＰＲＳオケージョンの期間は、１６０、３２０、６４０または１，２８０ｍｓであり得ることに留意されたい。時間領域における１つのＰＲＳパターンは、２つ、４つ、８つまたは１６個のＰＲＳオケージョンを含むことができる。ＰＲＳオケージョンは、ＰＲＳ信号が送信される時間期間である。ＰＲＳミューティング・パターンは、対応するＰＲＳオケージョンにおけるＰＲＳが、ミュートされるか否かを指示し、図１の例では、ミューティング・パターン１０１０は、信号が第１および第３のオケージョンの間ミュートされないが、第２および第４のオケージョンの間ミュートされることを指示する。ＰＲＳオケージョンがミュートされる場合、このＰＲＳオケージョンには、ＰＲＳ信号とデータ送信とＥＰＤＣＣＨとがない。これは、他のセルからの信号についてのＰＲＳ可聴性（ｈｅａｒａｂｉｌｉｔｙ）を改善する。
【００５１】
図２ａおよび図２ｂは、Ｎｏｋｉａによって考案され、同時係属出願において詳述された関連技法による、ブロードキャストされるＰＲＳ信号の代替パターンを示す。この例では、ＰＲＳ信号は、従来のＰＲＳシグナリングにおいて利用可能であったより広い帯域幅内の狭帯域幅において、ブロードキャストされる。したがって、この例では、１０ＭＨｚ周波数帯域が示されているが、各ＰＲＳ信号ブロックは、この周波数帯域のサブセットのみを使用することになり、実際は、この例では、各ＰＲＳ信号ブロックは、１．４ＭＨｚの帯域幅をカバーし、１つのサブフレームの各ブロックは、ミュートされた信号またはＰＲＳ信号のいずれかを有する。信号が、各々、異なる周波数範囲において送られるように、信号間に周波数ホッピングがある。ＰＲＳ時間期間と、各時間期間中にブロードキャストされるＰＲＳ信号の数と、周波数および時間領域におけるＰＲＳ信号の幅とが、すべて構成可能であることに留意されたい。
【００５２】
図２の例では、異なるＰＲＳ信号ブロック間に、１．４ＭＨｚである、信号の帯域幅に等しい周波数ギャップもある。各ＰＲＳブロックは、この場合、周波数領域において１．４ＭＨｚ幅、時間領域において１つのサブフレーム幅である。図に見られ得るように、１つのＰＲＳブロックのキャリア周波数は、あらかじめ定義された周波数ホッピング・パターンに従って、後続のＰＲＳサブフレームにおいて変更されることになり、図２ｂの場合、これらのＰＲＳブロック間に、ＰＲＳホッピング・ギャップがあることになる。異なる周波数帯域において送信される信号間に時間ギャップを残すことは、それらを受信するユーザ機器が、その受信機の周波数を調整することを可能にし、性能を改善し得る。しかしながら、諒解され得るように、それは、信号全体を受信するための時間を遅延させ、したがって、高速に移動しているＵＥの場合、欠点を有し得る。
【００５３】
図２からわかり得るように、ノード３は、ノード１のブロードキャスト・パターンに対応するミューティング・パターンを有する。したがって、ＰＲＳ信号を送信するために必要とされる周波数帯域幅が低減されるだけでなく、ミューティング帯域幅も低減され、これは、従来のシステムと比較して、追加のリソースが、他のシグナリングのために利用可能であることを意味する。周波数ホッピングを使用することによって、信号全体の周波数帯域幅が増加され、これは、依然としてリソースを節約しながら、測定の精度を改善することができる。
【００５４】
図３は、本発明の一実施形態による、ミューティング・パターンを伴うＰＲＳ信号を示す。この実施形態では、狭帯域ＰＲＳ信号がブロードキャストされるが、周波数ホッピングなしである。この実施形態では、各ＰＲＳブロックは、４サブフレーム幅であり、各ＰＲＳブロック内のミューティング・パターンがあり、それにより、第１のサブフレームの場合、ノード１がＰＲＳ信号をブロードキャストすることになるが、続くサブフレームの場合、それはミュートされることになる。次の２つのサブフレームの場合、ノード１は信号をブロードキャストすることになる。協働するノード、ノード３は、これに対する相補パターンを有することになり、それにより、第１のサブフレームの間、ノード３はミュートされることになり、第２のサブフレームの間、それは信号をブロードキャストすることになり、第３および第４のサブフレームの間、それはミュートされることになる。このようにして、各ＰＲＳオケージョンの間、複数のネットワーク・ノードは、これらのノードによってサービスされるユーザ機器が複数のノードからの信号を受信することになるように、相補ブロードキャストおよびミューティング・パターンを用いてＰＲＳ信号をブロードキャストすることができる。各ＰＲＳブロックは、連続するキャリア周波数におけるおよび１つまたは複数のサブフレーム中の１つまたは複数の物理リソース・ブロック（ＰＲＢ）を含む。
【００５５】
さらに、信号が、従来の信号よりも狭い帯域幅においてブロードキャストされるので、信号の２つ以上のセットが、同じ時間期間内にネットワーク・ノードによってブロードキャストされ得る。２つ以上のＰＲＳ信号が同じ時間においてブロードキャストされる場合、信号を受信するユーザ機器に送られる構成情報が、それらの特性に依存することになる。したがって、広帯域ＵＥは、信号の各々についての構成情報を受信し得、したがって、各々を監視し、受信することが可能であり、それによりその精度を増加させ得る。信号のうちの２つ以上を受信することができない狭帯域ＵＥが、１つの時間期間の間に送られた複数の信号のうちの１つに関係する構成情報を受信し得、別の狭帯域ＵＥが、複数の信号のうちの異なる１つに関係する構成情報を受信する。
【００５６】
図示された実施形態では、同じ時間期間中にブロードキャストされているものとして示されている２つのブロックについてのミューティング・パターンは、同じであるが、他の実施形態では、それらは異なり得、実際は、第２のブロックは、異なる協働するノードと共有される補足的ブロードキャストおよびミューティング・パターンを有し得、それにより、ノード３が補足的パターンを有するのではなく、ノード４が、第２のＰＲＳブロックのための補足的パターンを有し得る。
【００５７】
図４は、図３に示されているＰＲＳブロック内のより細かいミューティング・パターンを、図２において示唆された周波数ホッピングと組み合わせる、代替実施形態を示す。したがって、この実施形態では、低減された周波数帯域幅信号が各ブロック中で送信され、周波数ホッピングがブロック間に生じるが、各ブロック内にミューティング・パターンがあり、それにより、協働するノードが相補ミューティング・パターンを有し、同じ時間周波数リソースを使用し、それによりレイテンシを低減し得る。ＰＲＳ時間期間またはオケージョン内のＰＲＳ信号間に周波数ホッピングがあるとき、ＰＲＳ信号のブロードキャスト間にサブフレームに等しい時間ギャップがあり得、ユーザ機器が、その受信機の周波数に調整することが可能になる。これは、もちろんある程度まで遅延を増加させるが、性能を改善し得る。周波数ホッピングは、使用されるリソースを増加させることなしに、周波数ホッピングが生じない場合の信号と比較して、受信される信号全体としての帯域幅を増加させ、精度を増加させる。
【００５８】
図４に示されている例は、従来の例について図１に示されているＰＲＳ時間期間よりも長いＰＲＳ時間期間を有するが、より多くの信号が、この時間期間の間に送られ、時間期間の間に変わるものではあるが、より低減された周波数帯域が使用される。この時間期間は構成可能であり、ＰＲＳ構成情報の残部とともに送られることになることに留意されたい。
【００５９】
要約すれば、ＰＲＳ信号は、従来のＰＲＳ信号のミューティング・パターンよりも細かいミューティング・パターンを有し、より狭い帯域幅を使用し得、同じ時間期間中に２つ以上のＰＲＳ信号を組み込み得、さらに、周波数ホッピングを利用して、リソースを節約し、しかも全体的な信号の帯域幅を広げ得る。ミューティングを伴うソリューションは、特に、高速ユーザ機器に適用可能である。より狭い帯域幅は、ＭＴＣ  ＵＥまたは狭帯域ＩｏＴ  ＵＥなど、狭帯域ＵＥの帯域幅に対応し得る。
【００６０】
図４に示されている例では、１つのＰＲＳオケージョンにおいて複数のＰＲＳブロックがあり、これらのＰＲＳブロックのキャリア周波数は、あらかじめ定義されたＰＲＳ周波数ホッピング・パターンに基づいて変更される。これらのＰＲＳサブブロックうちの１つまたは複数が、１つまたは複数のミュートされたＰＲＳサブブロックを有する。いくつかの場合には、ＰＲＳブロックのうちのいくつか内に０個のミュートされたＰＲＳサブブロックがあり得る。各ミュートされたＰＲＳサブブロックでは、データ送信がない。１つのＰＲＳブロックは、連続するキャリア周波数と１つまたは複数のサブフレームとをもつ、１つまたは複数のＰＲＢまたは物理リソース・ブロックにわたる。
【００６１】
実施形態の利益は、それらが、１つのＰＲＳオケージョンにおけるより多くのセルについてのＲＳＴＤ測定のサポートを与えることである。したがって、実施形態は、より短い時間におけるより多くのセルについてのＲＳＴＤ測定をサポートする。実施形態はまた、測位改善を可能にするＰＲＳ周波数ホッピングをサポートし、狭帯域信号が使用される場合、より少数のリソースが必要とされる。
【００６２】
図５は、実施形態による方法を実施するように適応されるネットワークを概略的に示す。この実施形態では、ｅＮＢ基地局であり得るローカル・ノード１と、同じく基地局であり得るが、ロケーション・サーバであり得るノード２がある。ローカル・ノード１は、ローカル・ノード１がブロードキャストするＰＲＳ信号についてのＰＲＳ構成情報を決定し、ローカル・ノード１はこれをノード２に送信することになり、ノード２は、それをＵＥに転送することになる。この情報は、以下を含んでいることがある。
ＰＲＳオケージョンの期間、ＰＲＳオケージョンのいずれかのサブフレーム・オフセット、それは、第１のＰＲＳブロックが生じるＰＲＳオケージョンの時間期間の開始からのサブフレームである、
１つのＰＲＳオケージョンにおけるＰＲＳブロックの数、および
周波数ホッピングがある場合、ＰＲＳブロックの周波数ホッピング。
【００６３】
これは、周波数ホッピング・オフセットと、１つのＰＲＳオケージョンにおける第１のＰＲＳブロックの狭帯域指示と、あらかじめ定義されたテーブルにおけるインデックスであり得る、周波数ホッピング・パターンの指示とを含み得る。構成情報は、１つのＰＲＳブロック中のＰＲＳサブフレームの数と、任意のＰＲＳ周波数ホッピング・ギャップ中のサブフレームの数と、また、１つのＰＲＳブロック中のＰＲＳミューティング・パターンとをも含み得る。ミューティング・パターンが各ＰＲＳブロックにおいて同じでない場合、構成情報中で送信される複数のミューティング・パターンがあり得る。
【００６４】
構成情報がノード２およびユーザ機器に送られることは、ユーザ機器が、適切な時間および周波数においてＰＲＳ信号を監視することを可能にし、ノード２が、ＵＥが異なるネットワーク・ノードからの異なるＰＲＳ信号を受信したときの間の時間差を指示する、ＵＥから受信された信号に応答して、ロケーション測定計算を実施することをも可能にする。
【００６５】
ローカル・ノード１およびノード２は、同じロケーションにあり得、それらは、ノードおよび新しいＵＥ情報ならびにＰＲＳ構成情報を共有し得る。それらは、代替的に、異なるデバイス中にあり、それら自体の間で信号を送信し得る。
【００６６】
ローカル・ノード１は、ＰＲＳ信号をＵＥに送信することになり、ＰＲＳ測定値およびノード２は、ＰＲＳ情報をどのように測定するかをＵＥが知るように、ＵＥにＰＲＳ構成情報を送信することになる。
【００６７】
いくつかの実施形態では、ＰＲＳ構成情報はまた、各ローカル・ノードがそれ自体のＰＲＳ構成を他のローカル・ノードに要求しているおよび／または送っている場合、２つのローカル・ノード間で交換され得る。これは、ローカル・ノード上でロケーション計算が実施されることを可能にし、それは、レイテンシを低減し、より遠隔であり得るロケーション・サーバに情報が送られることを必要としないという利点を有する。
【００６８】
当業者は、様々な上記で説明された方法のステップが、プログラムされたコンピュータによって実施され得ることを容易に認識するであろう。本明細書では、いくつかの実施形態はまた、プログラム・ストレージ・デバイス、たとえば、機械可読またはコンピュータ可読である、デジタル・データ・ストレージ媒体をカバーすること、および命令の機械実行可能またはコンピュータ実行可能プログラムを符号化することが意図され、前記命令は、前記上記で説明された方法のステップの一部または全部を実施する。プログラム・ストレージ・デバイスは、たとえば、デジタル・メモリ、磁気ディスクおよび磁気テープなど、磁気ストレージ媒体、ハード・ドライブ、または光学的に読取り可能なデジタル・データ・ストレージ媒体であり得る。実施形態はまた、上記で説明された方法の前記ステップを実施するようにプログラムされるコンピュータをカバーすることが意図される。
【００６９】
「プロセッサ」または「論理」と標示される機能ブロックを含む、図に示されている様々な要素の機能は、専用ハードウェアならびに適切なソフトウェアに関連するソフトウェアを実行することが可能なハードウェアの使用によって与えられ得る。プロセッサによって与えられるとき、機能は、単一の専用プロセッサによって、単一の共有プロセッサによって、または複数の個別のプロセッサによって与えられ得、それらのうちのいくつかが共有され得る。その上、「プロセッサ」または「コントローラ」または「論理」という用語の明示的使用は、ソフトウェアを実行することが可能なハードウェアを排他的に言及するものと解釈されるべきでなく、限定はしないが、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するための読取り専用メモリ（ＲＯＭ）、ランダム・アクセス・メモリ（ＲＡＭ）、および不揮発性ストレージを暗黙的に含み得る。従来のおよび／またはカスタムの、他のハードウェアも含まれ得る。同様に、図に示されているどの交換も概念にすぎない。それらの機能は、プログラム論理の動作を通して、専用論理を通して、プログラム制御と専用論理との対話を通して、または手動でさえ実行され得、特定の技法は、文脈からより具体的に理解されるように、実装者によって選択可能である。
【００７０】
本明細書のどのブロック図も、本発明の原理を具現する例示的な回路の概念上のビューを表すことを、当業者は諒解されたい。同様に、どのフロー・チャート、流れ図、状態遷移図、擬似コードなども、実質的に、コンピュータ可読媒体において表され、コンピュータまたはプロセッサによって、そのようなコンピュータまたはプロセッサが明示的に示されているか否かにかかわらず、実行され得る、様々なプロセスを表すことが諒解されよう。
【００７１】
説明および図面は、本発明の原理を示すものにすぎない。したがって、当業者が、本明細書で明示的に説明または示されていないにもかかわらず、発明の原理を具現し、それの趣旨および範囲内に含められる、様々な配置を考案することができるであろうことを諒解されたい。さらに、本明細書で具陳されるすべての例は、主に、本発明の原理、および技術を促進するために（１人または複数の）発明者によって与えられる概念を読者が理解するのを助けるという教育上の目的のみのためのものであることが明確に意図され、そのように具体的に具陳された例および条件に限定されないものであると解釈されるべきである。その上、本発明の原理、態様および実施形態、ならびにそれらの具体的な例を具陳している本明細書のすべての記述は、それらの同等物を包含することが意図される。
【図１】
2019525188.tif 000003
【図２ａ】
2019525188.tif 000004
【図２ｂ】
2019525188.tif 000005
【図３】
2019525188.tif 000006
【図４】
2019525188.tif 000007
【図５】
2019525188.tif 000008
【国際調査報告】
2019525188.tif 000009
2019525188.tif 000010
2019525188.tif 000011